(57)【要約】      （修正有）【課題】変化に豊み装飾性も兼備する水入りランプ瓶栓構造を提供する。【解決手段】透光の水入りランプ部１中にタッチモジュール２を有し、且つ、タッチモジュールは微動スイッチにより電源２１を起動して、発光素子２４を発光させ、タッチモジュールは、中空の連接座３を組設し、チャンバ３１がタッチモジュールを容置すると共に、透光の水入りランプ部に結合する。連接座のもう一端は嵌合部に成型され、瓶体の瓶口に対応して嵌合され、これにより、微動スイッチに接触すると、タッチモジュールが発光素子を起動させ、発光素子の光線が水入りランプ部に伝達されて、装飾効果を増加する。【選択図】図１
0003147048.tif 000002
【実用新案登録請求の範囲】
【請求項１】
水入りランプ瓶栓構造であって、主に、透光の水入りランプ部、タッチモジュール、連接座、及び、嵌合部、からなり、
前記透光の水入りランプ部は、外観が透光の立体の透明造型で、内部は液体を充填し、
前記タッチモジュールは、電源部、微動スイッチ、制御ユニット、及び、発光素子を有する座体で、
前記連接座は、チャンバを有する座体で、前記チャンバ内に前記タッチモジュールを容置すると共に、前記透光の水入りランプ部に結合され、
前記嵌合部は、前記連接座のもう一端に成型され、全体が、瓶口の開口端に嵌設され、
これにより、前記微動スイッチにより、前記タッチモジュールが前記発光素子を起動して、前記発光素子の光線が、前記水入りランプ部に伝達して、装飾作用を増加することを特徴とする水入りランプ瓶栓構造。
【請求項２】
前記透光の水入りランプ部は低流動の液体を充填することを特徴とする請求項１に記載の水入りランプ瓶栓構造。
【請求項３】
前記透光の水入りランプ部の流動液体にラメ片を添加してもよいことを特徴とする請求項１に記載の水入りランプ瓶栓構造。
【請求項４】
前記透光の水入りランプ部の流動液体内にラメ粉を添加してもよいことを特徴とする請求項１に記載の水入りランプ瓶栓構造。
【請求項５】
前記透光の水入りランプ部の流動液体は、装飾小物を装入してもよいことを特徴とする請求項１に記載の水入りランプ瓶栓構造。
【請求項６】
前記嵌合部は軟質パッドであることを特徴とする請求項１に記載の水入りランプ瓶栓構造。
【請求項７】
前記タッチモジュールは、更に、前記発光素子を制御する制御ユニットを有することを特徴とする請求項１に記載の水入りランプ瓶栓構造。
【請求項８】
前記タッチモジュール中の発光素子は発光ダイオードであることを特徴とする請求項１に記載の水入りランプ瓶栓構造。
【請求項９】
前記電源部は水銀電池であることを特徴とする請求項１に記載の水入りランプ瓶栓構造。
【請求項１０】
前記制御ユニットは間隔的に、前記発光素子を起動することを特徴とする請求項７に記載の水入りランプ瓶栓構造。
【請求項１１】
前記制御ユニットは選択的に、前記発光素子を起動することを特徴とする請求項７に記載の水入りランプ瓶栓構造。
【考案の詳細な説明】
【技術分野】
【０００１】
本考案は、水入りランプ瓶栓構造に関するものであって、特に、瓶体の瓶口に定位され、装飾用品とする構造であって、微振動により電源を導通させ、発光と水入りランプの二重効果を生成する装飾用品に関するものである。
【背景技術】
【０００２】
日常生活において、内容物を装入した瓶、特に、酒の瓶などは、愛好家、収蔵家は、良質の瓶栓によって保存し、味が損なわれないようにしている。また、名品の酒に見合った酒瓶造型を求めるのは容易ではなく、高貴な設計である以外に、調和性も求められ、例えば、季節や記念日などに製造された酒や瓶装物も瓶栓設計上に運用され、よって、多様な瓶栓設計が、瓶体上に嵌設され、その美観を達成する必要がある。  
【考案の開示】
【考案が解決しようとする課題】
【０００３】
本考案の目的は、美観を達成する水入りランプ瓶栓構造を提供することにある。
【課題を解決するための手段】
【０００４】
本考案の水入りランプ瓶栓構造は、主に、透光の水入りランプ部中にタッチモジュールを有し、且つ、タッチモジュールは微動スイッチにより電源を起動して、発光素子を発光させ、タッチモジュールは、中空の連接座を組設し、チャンバがタッチモジュールを容置すると共に、透光の水入りランプ部に結合する。連接座のもう一端は嵌合部に成型され、瓶体の瓶口に対応して嵌合され、これにより、微動スイッチに接触すると、タッチモジュールが発光素子を起動させ、発光素子の光線が水入りランプ部に伝達されて、装飾効果を増加する。
【考案の効果】
【０００５】
本考案の水入りランプ瓶栓構造は、タッチモジュールの微動スイッチ設計により、全体か軽いタッチで作動され、発光素子を起動して、光線を生成し、変化に富み、装飾性も兼備する。また、外観の幾何学立体造型、内部の液体、更に、ラメ片やラメ粉、装飾小物を有する設計で、瓶体が風采を増加し、美観を増加する。
【考案を実施するための最良の形態】
【０００６】
図１は、本考案の水入りランプ瓶栓構造の立体分解図で、主に、透光の水入りランプ部１、タッチモジュール２、連接座３、及び、嵌合部４、からなる。
【０００７】
透光の水入りランプ部１は、外観が透光の立体の透明造型で、内部は液体を充填し、液体内にラメ片やラメ粉、及び、装飾小物（クリスマスツリー、サンタクロース、トナカイ等）を装入している。
【０００８】
図２で示されるように、タッチモジュール２は、電源部２１、微動スイッチ２２、制御ユニット２３、及び、発光素子２４を有する座体で、水入りランプ部１に嵌組される。電源部２１は小体積設計で、水銀電池である。微動スイッチ２２は、主に、軽い振動で、水銀スイッチ等のスイッチを導通させる。制御ユニット２３は間隔的起動、或いは、選択的起動に設計される。発光素子２４は発光ダイオードで、水入りランプ部１の方向に対応して設置される。
【０００９】
連接座３は、チャンバ３１を有する座体で、チャンバ３１内にタッチモジュール２を容置する。
【００１０】
嵌合部４は、連接座３のもう一端に成型され、全体が、瓶口５の開口端５１に嵌設され、軟質材料からなる。
【００１１】
これにより、瓶体の瓶口５に触れると、軽い振動が微動スイッチ２２を触動し、タッチモジュール２が発光素子２４を起動して、発光素子２４の光線が、水入りランプ部１に伝達して、装飾作用を増加する。
【００１２】
図３、及び、図４を参照すると、組み立て時、タッチモジュール２内に、電源部２１、微動スイッチ２２、制御スイッチ２３、及び、発光素子２４が嵌設され、水入りランプ部１内に液体が充填され、同時に、発光素子２４は、水入りランプ部１に対応する方向に設置され、更に、タッチモジュール２のもう一端は、連接座３により組み合わされ、連接座３がタッチセンサー２を被覆し、且つ、水入りランプ部１外を被覆し、連接座３の別端の嵌合部４は、コルクやゴム等の軟質材料で、瓶体の瓶口５の開口端５１に嵌組される。
【００１３】
本考案の嵌合部４は、瓶口５の開口端５１に嵌組されて定位完成後、使用者は、軽くタッチモジュール２の微動スイッチ２２を押して、制御ユニット２３、及び、発光素子２４を起動し、所定秒数の間隔起動を実行して、発光素子２４の光源が、水入りランプ部１を経て、フリッカー効果を達成し、発光素子２４の発光効果は所定秒数後停止し、使用者が、全体に触れると、発光動作を実行して、発光素子２４が光源を伝達し、輝かせて、全体の美観を増加する。
【００１４】
本考案の水入りランプ瓶栓構造の組成と実施例から、以下のような長所が得られる。１．本考案の水入りランプ瓶栓構造は、タッチモジュールの微動スイッチ設計により、全体か軽いタッチで作動され、発光素子を起動して、光線を生成し、変化に富み、装飾性も兼備する。２．本考案の水入りランプ部は幾何学立体造型、内部の液体、更に、ラメ片やラメ粉、装飾小物を有する設計で、瓶体が風采を増加し、美観を増加する。
【図面の簡単な説明】
【００１５】
【図１】本考案の立体分解図である。
【図２】本考案のタッチモジュールを示す図である。
【図３】本考案の組み合わせ断面図である。
【図４】本考案の使用実施例図である。
【符号の説明】
【００１６】
透光の水入りランプ部１
タッチモジュール２
連接座３
嵌合部４
瓶口５
電源部２１
微動スイッチ２２
制御ユニット２３
発光素子２４
チャンバ３１
開口端５１
【図１】
0003147048.tif 000003
【図２】
0003147048.tif 000004
【図３】
0003147048.tif 000005
【図４】
0003147048.tif 000006